(57)【要約】【課題】本発明は、インターネット情報の検索に適用する情報検索方法を提供する。【解決手段】情報検索方法は、まず、ホットキーがある情報検索システムを提供し、続いて、ホットキーが作動されたを判断し、最後に、ホットキーが作動されれば、情報検索システムが、検索エンジンに接続し、また、予めに選択されたキーデータを、検索エンジンのウェブページの照会フィールドに複製して、検索結果ページを生成する。これにより、簡単且つ快速的にキーデータに関連するインターネット情報を照会できる。【選択図】図３
2008234630.tif 000002
【特許請求の範囲】
【請求項１】
インターネット情報の検索に適用される情報検索方法であって、
ホットキー（Ｈｏｔ  ｋｅｙ）を有する情報検索システムを提供するステップと、
上記ホットキーが作動されたか否かを判断するステップと、
上記ホットキーが作動されれば、上記情報検索システムが、検索エンジンに接続し、また、予めに選択されたキーデータを検索エンジンウェブページの照会フィールドに複製して、検索結果ページを生成するステップと、
を備えることを特徴とする情報検索方法。
【請求項２】
前記検索結果ページを生成するステップにおいて、更に、
作成コード（Ｍａｋｅ  ｃｏｄｅ）を生成するステップと、
上記作成コードに応答して、使用コード（Ｕｓａｇｅ  ｃｏｄｅ）を生成するステップと、
上記使用コードを上記情報検索システムのオペレーティングシステムに伝送するステップと、
を備えることを特徴とする請求項１に記載の情報検索方法。
【請求項３】
前記検索結果ページを生成するステップにおいて、更に、
前記情報検索システムのオペレーティングシステムのコマンド列ツールにより、前記検索エンジンと接続するステップを備えることを特徴とする請求項１に記載の情報検索方法。
【請求項４】
前記検索結果ページを生成するステップにおいて、更に、
上記予めに選択されたキーデータを上記情報検索システムのオペレーティングシステムのプラットフォームに複製するステップと、
上記キーデータを上記検索エンジンウェブページの照会フィールドに貼り付けるステップと、
を備えることを特徴とする請求項１に記載の情報検索方法。
【請求項５】
前記キーデータは、文字データと、図形データと、写真データからなるグループから選択された少なくとも一つのデータや、一つ以上のデータの任意の組み合せであることを特徴とする請求項１に記載の情報検索方法。
【請求項６】
前記ホットキーは、入力装置上に設置され、当該入力装置が、前記情報検索システムの操作インターフェースであることを特徴とする請求項１に記載の情報検索方法。
【請求項７】
ホットキー（Ｈｏｔ  ｋｅｙ）と、
上記ホットキーと連動し、当該ホットキーが作動されると、作成コード（Ｍａｋｅ  ｃｏｄｅ）を生成する制御モジュールと、
上記作成コードを受信し、使用コード（Ｕｓａｇｅ  ｃｏｄｅ）を生成する埋め込み式コントローラと、
上記使用コードを受信し、それに応答して情報検索システムを駆動させ、インターネットを介して検索エンジンに連結し、予めに選択されたキーデータを検索エンジンウェブページの照会フィールドに複製し、検索結果ページを生成するオペレーティングシステムと、
を備えることを特徴とする情報検索システム。
【請求項８】
前記制御モジュールは、ファームウェアを有するもので、当該ファームウェアにより制御され、前記ホットキーの作動に応答し前記作成コードを生成することを特徴とする請求項７に記載の情報検索システム。
【請求項９】
前記埋め込み式コントローラは、ファームウェアを有するもので、当該ファームウェアにより制御され、受信した前記作成コードに応答して、前記使用コードを生成することを特徴とする請求項７に記載の情報検索システム。
【請求項１０】
前記情報検索システムは、更に、入力装置を有し、当該入力装置は前記情報検索システムの操作インターフェースであり、前記ホットキーと前記制御モジュールが、前記入力装置に設置されることを特徴とする請求項７に記載の情報検索システム。
【請求項１１】
前記入力装置は、キーボードやマウスであることを特徴とする請求項１０に記載の情報検索システム。
【請求項１２】
前記情報検索システムは、コンピュータやＰＤＡや移動式通信装置であることを特徴とする請求項７に記載の情報検索システム。
【請求項１３】
オペレーティングシステムを有する情報検索システムの操作インターフェースとする入力装置であって、
ホットキー（Ｈｏｔ  ｋｅｙ）と、
上記ホットキーと連動し、当該ホットキーが作動されると、作成コード（Ｍａｋｅ  ｃｏｄｅ）を生成する制御モジュールと、
を備えて、
上記情報検索システムが、上記作成コードに応答して使用コード（Ｕｓａｇｅ  ｃｏｄｅ）を生成し、
上記使用コードが、前記オペレーティングシステムに伝送され、
上記オペレーティングシステムが、上記使用コードに応答して、上記情報検索システムを駆動し、インターネットを介して検索エンジンに連結し、また、予めに選択されたキーデータを上記検索エンジンウェブページの照会フィールドに複製して、検索結果ページを生成する、
ことを特徴とする入力装置。
【請求項１４】
前記制御モジュールは、ファームウェアを有し、当該ファームウェアにより制御され、前記ホットキーの作動に応答して前記作成コードを生成することを特徴とする請求項１３に記載の入力装置。
【請求項１５】
前記情報検索システムは、更に、ファームウェアを有する埋め込み式コントローラが備え、
上記埋め込み式コントローラは、上記ファームウェアにより制御され、受信した前記作成コードに応答して、前記使用コードを生成することを特徴とする請求項１３に記載の入力装置。
【請求項１６】
前記入力装置は、キーボードやマウスであることを特徴とする請求項１３に記載の入力装置。
【請求項１７】
前記情報検索システムは、コンピュータやＰＤＡや移動式通信装置であることを特徴とする請求項１３に記載の入力装置。
【発明の詳細な説明】
【技術分野】
【０００１】
本発明は、情報検索方法に関し、特に、インターネット情報の検索に適用する情報検索方法とそのシステムに関する。
【背景技術】
【０００２】
近年来、ネットワーク技術の発展とともに、ネットワーク帯域幅が、大幅に向上され、端末コンピュータは、インターネットを介して、快速的に全世界の各地のウェブページに接続して、その情報を取得できる。そのため、インターネットにより提供された大量の情報から、如何に、必要とする情報を見つけ出すかが、インターネットユーザーから強く要請される。検索エンジン（Ｓｅａｒｃｈ  ｅｎｇｉｎｅ）は、ウェブページを選別するサービスを提供する。
【０００３】
一般として、検索エンジンの作動方式は、大雑把に、フルテキスト検索と、内容検索と、集合式（ＭＥＴＡ）検索エンジンの３種類がある。その中、ＧｏｏｇｌｅとＹａｈｏｏは、それぞれ、フルテキスト検索と内容検索の代表である。ユーザーが、インターネット情報を検索する時、使用慣習によるが、一般として、検索エンジンに接続し、キーワードを入力してから検索機能を実行すると、検索エンジンは、検索結果ページを、ユーザーのコンピュータに表示する。
【発明の開示】
【発明が解決しようとする課題】
【０００４】
情報の多元化とともに、検索エンジンを利用し、情報を検索して、参考にすることも、盛んに行われる。コンピュータの応用ソフトウェアで、書類を処理する時やウェブページ情報を閲覧する時、更に内容を検索する場合、もう一つのブラウザウィンドウを開いて、ブラウザの接続ウェブアドレスを検索エンジンに指定して、検索エンジンの照会フィールド内に、検索する文字や写真等のキーデータを入力してから、検索機能を実行し、これにより、必要とするインターネット情報を取得する。これらのステップは複雑なので、時間がかかる。本発明者は、上記の問題を解消するため、既存のインターネット情報を検索するための複雑なステップを簡素化し、ユーザーの作業効率を向上させようと図る。
【課題を解決するための手段】
【０００５】
そのため、本発明は、入力装置を情報検索システムの操作インターフェースとし、入力装置上のホットキー（Ｈｏｔ  ｋｅｙ）を作動することにより、情報検索システムが自動的に検索エンジンに接続されるように制御して、選択したキーデータに関連するインターネット情報を検索し、インターネット情報の検索をより簡単且つ快速的にする情報検索方法とそのシステム及びその入力装置を提供することを目的とする。
【０００６】
本発明は、インターネット情報の検索に適用される情報検索方法である。情報検索方法は、まず、情報検索システムを提供し、この情報検索システムには、ホットキーが備えられる。続いて、前記ホットキーが作動されたか否かを判断する。最後に、前記ホットキーが作動されれば、前記情報検索システムが、検索エンジンに連結し、予めに選択されたキーデータを前記検索エンジンのウェブページの照会フィールドに複製されて、検索結果ページを生成する。
【０００７】
本発明は、ホットキーと、制御モジュールと、埋め込み式コントローラと、オペレーティングシステムとが備えられる情報検索システムである。制御モジュールは前記ホットキーと連動し、ホットキーが作動された時、作成コード（Ｍａｋｅ  ｃｏｄｅ）を生成する。埋め込み式コントローラは、作成コードを受信し、使用コード（Ｕｓａｇｅ  ｃｏｄｅ）を生成する。オペレーティングシステムは、使用コードを受信し、使用コードに応答して情報検索システムを駆動し、インターネットを介して検索エンジンに接続し、予めに選択されたキーデータを、検索エンジンのウェブページの照会フィールドに複製して、検索結果ページを生成する。
【０００８】
本発明は、情報検索システムの操作インターフェースとする入力装置であって、情報検索システムには、オペレーティングシステムを有する。入力装置は、ホットキーと制御モジュールが備えられる。制御モジュールは、ホットキーに連動され、ホットキーが作動された時、制御モジュールにより作成コードを生成する。その中、情報検索システムは、作成コードに応答して、使用コードを生成し、使用コードが、更に、オペレーティングシステムに伝送され、オペレーティングシステムは、使用コードに応答し、情報検索システムを駆動してインターネットを介して検索エンジンに連結し、また、予めに選択されたキーデータを検索エンジンのウェブページの照会フィールドに複製して、検索結果ページを生成する。
【発明の効果】
【０００９】
本発明では、インターネット情報の検索が、より便利的且つ快速的になる。そのため、ユーザーの作業効率が向上される。
【００１０】
以下、図面を参照しながら、本発明に係わる予期の目的や手段、及びその効果を詳しく説明する。
【発明を実施するための最良の形態】
【００１１】
本発明は、ホットキー（Ｈｏｔ  ｋｅｙ）により、自動的にインターネット情報の検索を実行するように制御する。まず、図１は、本発明に係る情報検索システム１０のシステム構造の概念図である。情報検索システム１０は、デスクトップコンピュータや携帯型コンピュータ、ＰＤＡ或いは移動式通信装置等のネットワーク端末装置である。図１のように、情報検索システム１０は、オペレーティングシステム１１と、埋め込み式コントローラ１３と、入力装置１５が備えられ、入力装置１５は、ホットキー１５１と制御モジュール１５３が備えられる。入力装置１５は、情報検索システム１０の操作インターフェースとされ、キーボードやマウス等の装置であってもよい。
【００１２】
また、本発明に係る情報検索システム１０は、コンピュータシステムを基本構造とし、図１の情報検索システム１０は、本発明の作動メカニズムを説明する概念図である。コンピュータシステムをよく分かる熟練者であればわかるように、情報検索システム１０には、中央処理装置とメモリとディスプレー等のハードウェアが備えられ、オペレーティングシステムや応用ソフトウェアやドライバーなどの格納と実行を行う。また、オペレーティングシステムと応用ソフトウェアとドライバの実行に基づいて、ディスプレーに表示する。
【００１３】
入力装置１５上に設置されたホットキー１５１が作動されることで（例えば、押されること）、オペレーティングシステム１１に所定のプロセスを実行させるように制御する。所定のプロセスとは、情報検索システム１０を駆動して、インターネット８０を介して検索エンジン９０に接続し、予めに選択されたキーデータを、検索エンジンのウェブページの照会フィールドに複製し、検索機能を実行して、検索結果ページを生成する。また、検索エンジン９０は、汎用（例えば、Ｇｏｏｇｌｅ、Ｙａｈｏｏ等の検索エンジン）や専用（例えば、学術論文データベース）のウェブページ検索ツールである。これにより、ユーザーが、文字や図形或いは写真等の内容を照会する時、従来のようにブラウザソフトウェアを駆動して、ブラウザの接続ウェブアドレスを検索エンジンのウェブアドレスに指定して接続し、照会する文字や図形或いは写真等のキーデータを照会フィールド等に入力する複雑な動作をしなくても、快速的且つ便利的にキーデータに関連するインターネット情報を取得できる。
【００１４】
ここで、まず、ホットキーをハードウェアにより実現する手段を説明する。図２は、本発明に係る情報検索システム２０の具体的な実施例の外観概念図である。図２において、デスクトップコンピュータを情報検索システム２０の例とする。図２のように、情報検索システム２０は、ディスプレー２１とホスト２３と二つの入力装置２５、２７を備える。入力装置２５、２７は、それぞれ、キーボードとマウスである。ディスプレー２１と入力装置２５、２７は、ホスト２３に接続され、情報検索システム２０の表示インターフェースと操作インターフェースとしている。入力装置２５、２７は、それぞれ、ホットキー２５１、２７１を有し、ホットキー２５１、２７１は、ユーザーの操作に応じて設計されるもので、ユーザーの操作便利性を考慮した上で、それぞれ入力装置２５、２７上の適当な位置に設置される。図２のホットキー２５１、２７１の位置と形態は、単なる例にすぎず、本発明はそれによって制限されるものではない。
【００１５】
図１において、オペレーティングシステム１１は応用ソフトウェアの実行と操作のプラットフォームであり、ドライバーを実行することで情報検索システム１０を正常に作動させる。いま、ウィンドウオペレーティングシステムが、幅広く応用されている。入力装置１５は、埋め込み式コントローラ１３と連動し、埋め込み式コントローラ１３は、オペレーティングシステム１１と連動する。制御モジュール１５３は、マイクロコントローラを有し、予めにマイクロコントローラに格納されたファームウェアにより入力装置１５のハードを制御する。同じように、埋め込み式コントローラ１３には予めに、入力装置１５を制御するためのファームウェアが格納され、入力装置１５のドライバが、予めにオペレーティングシステム１１にインストールされ、オペレーティングシステム１１によって実行されて、入力装置１５の操作を支援する。
【００１６】
ここで、入力装置１５が、キーボードを例とし、情報検索システム１０の作動メカニズムを詳しく説明する。制御モジュール１５３と埋め込み式コントローラ１３には、それぞれ、キーボードの制御ファームウェアが格納されると同時に、オペレーティングシステム１１には、キーボードのドライバが格納されて、キーボードの操作を支援する。制御モジュール１５３は、ファームウェアによる制御に基づいて、キーボード上の各キーを監視しており、その中、キーが押されたり離されたりするときに、制御モジュール１５３から、操作キーに対応する作成コード（Ｍａｋｅ  ｃｏｄｅ）と中断コード（Ｂｒｅａｋ  ｃｏｄｅ）を出力する。埋め込み式コントローラ１３は、制御モジュール１５３から出力された作成コードと中断コードを受信し、作成コードに応答して、インナーコードを生成してオペレーティングシステム１１に伝送する。オペレーティングシステム１１は、受信したインナーコードに基づいて、キーボードの操作を解析して、その次の動作を実行する。
【００１７】
続いて、図１のシステム構造を説明する。制御モジュール１５３と埋め込み式コントローラ１３は、入力装置１５の形態と機能に合わせて、予め用意されたファームウェアを格納する。入力装置１５上のホットキー１５１が作動されれば、制御モジュール１５３は、その作動に応答して、ホットキー１５１が操作されたことを表示することに対応する作成コードを生成する。埋め込み式コントローラ１３が、作成コードを受信した後、その作成コードに応答して、使用コード（Ｕｓａｇｅ  ｃｏｄｅ）を生成し、また、その使用コードを、オペレーティングシステム１１に伝送して、ホットキー１５１が作動されたメッセージを伝達する。オペレーティングシステム１１が、使用コードを受信した後、その使用コードに応答して、所定のプロセスを実行する。
【００１８】
図３は、本発明に係る情報検索方法のステップのフローチャートであり、この方法は、インターネット情報の検索に適用できる。それに関連するシステム構造は図１を参照する。図３のように、情報検索方法は、まず、ホットキー１５１を有する情報検索システム１０を提供するステップ（ステップＳ２００）と、続いて、ホットキー１５１が作動されるか否かを判断するステップ（ステップＳ２０２）と、最後に、ホットキー１５１が作動されれば、オペレーティングシステム１１が、情報検索システム１０を駆動して、インターネット８０を介して、検索エンジン９０に連結し、また、予めに選択されたキーデータを、検索エンジンのウェブページ上の照会フィールドに複製して、検索結果ページを生成するステップ（ステップＳ２０４）と、を備える。
【００１９】
キーデータは、ユーザーが、オペレーティングシステム１１のプラットフォームにおいて予めに選択されたものである。例えば、ユーザーが、応用ソフトウェア（例えば、Ｗｏｒｄ、Ｅｘｃｅｌ等の書類処理ソフトウェアやＩｎｔｅｒｎｅｔ  Ｅｘｐｌｏｒｅｒ等のネットワークブラウザソフトウェア）を実行する過程において、内容を照会したい場合、キーボードキーやマウスのドラッギングにより、前記の内容を選択して、キーデータとする。また、前記キーデータは、文字データや図形データや写真データからなる何れかのデータや前記のデータの任意の組み合せであってもよい。
【００２０】
この情報検索方法において、ステップＳ２０４のプロセスが、予めに、制御モジュール１５３と埋め込み式コントローラ１３のファームウェアに用意されるとともにオペレーティングシステム１１のドライバにインストールされる。これにより、情報検索システム１０は、ホットキー１５１が作動されたか否かを判断でき、また、ホットキー１５１が作動された時、自動的に、ステップＳ２０４のプロセスを実行する。以下、そのステップを説明する。
【００２１】
図４は、本発明に係る情報検索方法の一具体実施例のステップのフローチャートである。図４のように、ホットキー１５１が作動されると（ステップＳ３００）、制御モジュール１５３が、ホットキー１５１の作動に応答して、作成コードを生成し（ステップＳ３０２）、
続いて、埋め込み式コントローラ１３が、作成コードを受信して、受信した作成コードに応答して、使用コードを生成し（ステップＳ３０４）、
その後、前記使用コードが、オペレーティングシステム１１に伝送され、オペレーティングシステム１１が、その使用コードに応答して、所定のプロセスを実行する。また、以下のステップにおいて、オペレーティングシステム１１が、所定のプロセスを実行する時、ウィンドウＡＰＩ（Ｗｉｎｄｏｗｓ（登録商標）  Ａｐｐｌｉｃａｔｉｏｎ  Ｐｒｏｇｒａｍｍｉｎｇ  Ｉｎｔｅｒｆａｃｅ）により提供された関数により、関連するプログラムの起動と制御を行うとともに個別のプログラムの内部細部コマンドを実行する（ステップＳ３０６）。
【００２２】
所定のプロセスのステップは、まず、予めに選択されたキーデータを、オペレーティングシステム１１のプラットフォームに複製し（ステップＳ３０８）、
続いて、オペレーティングシステム１１のコマンド列ツールで、検索エンジン９０のウェブアドレスを入力し、情報検索システム１０を駆動して、検索エンジン９０に接続し（ステップＳ３１０）、
続いて、複製されたキーデータを、検索エンジンのウェブページの照会フィールドに貼り付け（ステップＳ３１２）、
最後に、検索エンジンのウェブページの検索機能を実行して、検索結果ページを生成する（ステップＳ３１４）。
【００２３】
以上のように、本発明に係る情報検索方法とシステムによれば、入力装置に設置されたホットキーにより、関連するファームウェアとドライバに合わせて所定のプロセスを実行できる。ユーザーが、内容を照会したい時、キーデータを選択し、ホットキーを押すだけで、情報検索システムが、自動的に検索エンジンに連結して、キーデータに関連するインターネット情報を表示するように、オペレーティングシステムを制御できる。従来の技術のように、ユーザーが、複雑なステップで、必要とするインターネット情報を照会する時と比較すると、本発明は、インターネット情報の検索が、より便利的且つ快速的になる。そのため、ユーザーの作業効率が向上される。
【００２４】
以上は、ただ、本発明のより良い実施例であり、本発明は、それによって制限されることが無く、本発明に係る特許請求の範囲や明細書の内容に基づいて行った等価の変更や修正は、全てが、本発明の特許請求の範囲内に含まれる。
【図面の簡単な説明】
【００２５】
【図１】図１は本発明に係る情報検索システムのシステム構造の概念図である。
【図２】図２は本発明に係る情報検索システムの一具体実施例の外観概念図である。
【図３】図３は本発明に係る情報検索方法のステップのフローチャートである。
【図４】図４は本発明に係わる情報検索方法の一具体実施例のステップのフローチャートである。
【符号の説明】
【００２６】
１０、２０              情報検索システム
１１                    オペレーティングシステム
１３                    埋め込み式コントローラ
１５、２５、２７        入力装置
１５１、２５１、２７１  ホットキー
１５３                  制御モジュール
２１                    ディスプレー
２３                    ホスト
８０                    インターネット
９０                    検索エンジン
【図１】
2008234630.tif 000003
【図２】
2008234630.tif 000004
【図３】
2008234630.tif 000005
【図４】
2008234630.tif 000006